(57)【要約】【課題】医療廃液中に含まれる回収対象物を容易に回収する。【解決手段】廃液回収容器１は、容器本体２と、吸収体３と、フィルタ部４とを備える。容器本体２は、底部２１と、側壁部２２と、天蓋部２３とを有する。吸収体３は、容器本体２の内部空間２０に収容されて、医療廃液を吸収する。フィルタ部４は、天蓋部２３に設けられた開口２３１を覆う。フィルタ部４は、液体が透過可能であり、所定の大きさ以上の固形物またはゲル状物質を捕集する。これにより、医療廃液中に含まれる血栓等の回収対象物を容易に回収することができる。【選択図】図２
2019076171.tif 000002
【特許請求の範囲】
【請求項１】
医療廃液を回収する廃液回収容器であって、
底部と側壁部と天蓋部とを有する容器本体と、
前記容器本体の内部空間に収容されて医療廃液を吸収する吸収体と、
前記天蓋部に設けられた開口を覆い、液体が透過可能であり、所定の大きさ以上の固形物またはゲル状物質を捕集するフィルタ部と、
を備えることを特徴とする廃液回収容器。
【請求項２】
請求項１に記載の廃液回収容器であって、
前記フィルタ部が樹脂製であることを特徴とする廃液回収容器。
【請求項３】
請求項１または２に記載の廃液回収容器であって、
前記フィルタ部が白色であることを特徴とする廃液回収容器。
【請求項４】
請求項１ないし３のいずれか１つに記載の廃液回収容器であって、
前記フィルタ部が、
前記天蓋部に着脱可能に取り付けられるフィルタ取付部と、
前記フィルタ取付部に接続され、液体が透過可能なフィルタ本体と、
を備えることを特徴とする廃液回収容器。
【請求項５】
請求項４に記載の廃液回収容器であって、
前記フィルタ部が、前記フィルタ取付部から上方に突出する摘まみ部をさらに備えることを特徴とする廃液回収容器。
【発明の詳細な説明】
【技術分野】
【０００１】
本発明は、医療廃液を回収する廃液回収容器に関する。
【背景技術】
【０００２】
従来、医療施設において、シリンジ内の血液等の医療廃液を安全に廃棄するために、医療廃液を回収する廃液回収容器が利用されている。例えば、特許文献１では、略直方体状の容器の上蓋中央部に、シリンジ挿入用の円形開口が設けられた廃液回収容器が開示されている。当該容器の底面上には、廃液を吸収するための複数枚のセルロースシートが積層されている。
【先行技術文献】
【特許文献】
【０００３】
【特許文献１】米国特許第６０５３３１４号明細書
【発明の概要】
【発明が解決しようとする課題】
【０００４】
ところで、特許文献１の容器では、医療廃液中に含まれる血栓等を回収する場合、容器の天蓋部を側壁部から取り外し、ピンセット等を利用して容器内に溜まっている医療廃液から血栓等を採取する必要がある。血栓等の回収対象物は、医療廃液に紛れて見つけにくいため、回収対象物の回収が容易ではない。
【０００５】
本発明は、上記課題に鑑みなされたものであり、医療廃液を回収する廃液回収容器において、医療廃液中に含まれる回収対象物を容易に回収することを目的としている。
【課題を解決するための手段】
【０００６】
請求項１に記載の発明は、医療廃液を回収する廃液回収容器であって、底部と側壁部と天蓋部とを有する容器本体と、前記容器本体の内部空間に収容されて医療廃液を吸収する吸収体と、前記天蓋部に設けられた開口を覆い、液体が透過可能であり、所定の大きさ以上の固形物またはゲル状物質を捕集するフィルタ部とを備える。
【０００７】
請求項２に記載の発明は、請求項１に記載の廃液回収容器であって、前記フィルタ部が樹脂製である。
【０００８】
請求項３に記載の発明は、請求項１または２に記載の廃液回収容器であって、前記フィルタ部が白色である。
【０００９】
請求項４に記載の発明は、請求項１ないし３のいずれか１つに記載の廃液回収容器であって、前記フィルタ部が、前記天蓋部に着脱可能に取り付けられるフィルタ取付部と、前記フィルタ取付部に接続され、液体が透過可能なフィルタ本体とを備える。
【００１０】
請求項５に記載の発明は、請求項４に記載の廃液回収容器であって、前記フィルタ部が、前記フィルタ取付部から上方に突出する摘まみ部をさらに備える。
【発明の効果】
【００１１】
本発明では、医療廃液中に含まれる回収対象物を容易に回収することができる。
【図面の簡単な説明】
【００１２】
【図１】第１の実施の形態に係る廃液回収容器の斜視図である。
【図２】廃液回収容器の縦断面図である。
【図３】廃液回収容器の平面図である。
【図４】吸収体の一部を拡大して示す縦断面図である。
【図５】廃液回収容器の平面図である。
【図６】廃液回収容器の使用の様子を示す図である。
【図７】他の廃液回収容器の縦断面図である。
【図８】第２の実施の形態に係る廃液回収容器の斜視図である。
【図９】廃液回収容器の縦断面図である。
【図１０】第３の実施の形態に係る廃液回収容器の斜視図である。
【図１１】廃液回収容器の縦断面図である。
【図１２】廃液回収容器の平面図である。
【発明を実施するための形態】
【００１３】
図１は、本発明の第１の実施の形態に係る廃液回収容器１の外観を示す斜視図である。図２は、廃液回収容器１の縦断面図である。図３は、廃液回収容器１の平面図である。図３では、後述する天蓋部２３およびフィルタ部４の図示を省略している。廃液回収容器１は、医療廃液を回収する容器である。当該医療廃液は、例えば、医療処置において患者に対して使用した生理食塩水等の液体、および、医療処置を施された患者の体液である。当該医療廃液は、廃液回収容器１内に固定された状態で、廃液回収容器１と共に廃棄される。
【００１４】
廃液回収容器１は、容器本体２と、吸収部材３０と、フィルタ部４とを備える。容器本体２の外形は、上下方向を向く中心軸Ｊ１を中心とする有蓋かつ有底の略円筒状である。容器本体２の内部には、空間２０（以下、「内部空間２０」と呼ぶ。）が設けられる。吸収部材３０は、容器本体２の内部空間２０に収容される。図１ないし図３に示す例では、４つの吸収部材３０が容器本体２の内部空間２０に収容される。吸収部材３０の数は、１であってもよく、２以上であってもよい。フィルタ部４は、容器本体２の開口２３１（後述）に設けられる。
【００１５】
容器本体２は、底部２１と、側壁部２２と、天蓋部２３とを備える。底部２１は、中心軸Ｊ１を中心とする略円板状の部位である。側壁部２２は、中心軸Ｊ１を中心とする略円筒状の部位である。側壁部２２は、底部２１の外周部から上方に延びる。図１に示す例では、側壁部２２は、底部２１から上方に向かうに従って径方向外方へと広がる。底部２１と側壁部２２とは、一体的に成形された一繋がりの部材である。天蓋部２３は、中心軸Ｊ１を中心とする略円板状の部位である。天蓋部２３は、底部２１および側壁部２２とは別部材である。天蓋部２３は、側壁部２２の上端部に着脱可能に取り付けられる。
【００１６】
底部２１、側壁部２２および天蓋部２３は、例えば、比較的硬質な樹脂製である。底部２１、側壁部２２および天蓋部２３の材料は、同じであってもよく、異なっていてもよい。側壁部２２および底部２１の外面の色は、例えば、黄色、橙色または赤色等の危険喚起色である。側壁部２２および底部２１の外面の色は、他の色（例えば、青色または緑色）であってもよい。天蓋部２３は、例えば、透明または半透明である。容器本体２の容量は、例えば、５００ｍｌ（ミリリットル）以上かつ２０００ｍｌ以下である。容器本体２の容量は、５００ｍｌ未満であってもよく、２０００ｍｌよりも大きくてもよい。
【００１７】
図２に示す例では、側壁部２２の上端部に、径方向外方へと延びてさらに下方へと延びるフランジ部２２１が設けられる。また、天蓋部２３の外周部には、下方へと延びてさらに径方向内方かつ上方へと折り返される係合部２３７が設けられる。天蓋部２３が側壁部２２に取り付けられる際には、天蓋部２３の係合部２３７が、側壁部２２のフランジ部２２１の外周部に係合する。側壁部２２と天蓋部２３との接続部は、好ましくは液密である。例えば、側壁部２２のフランジ部２２１と天蓋部２３の係合部２３７とは、シーラント層を介して液密に熱接合されてもよい。あるいは、側壁部２２のフランジ部２２１と天蓋部２３の係合部２３７との間に、略円環状のＯリングが設けられることにより、天蓋部２３と側壁部２２との接続部が液密とされてもよい。
【００１８】
天蓋部２３の中央には、下方に凹む天蓋凹部２３０が設けられる。天蓋凹部２３０は、中心軸Ｊ１を中心とする略円柱状の凹部である。天蓋凹部２３０の上端縁２３６は、中心軸Ｊ１を中心とする略円形である。天蓋凹部２３０は、上側壁部２３２と、フランジ部２３３と、下側壁部２３４と、底部２３５とを備える。上側壁部２３２は、天蓋凹部２３０の上端縁２３６からから下方に延びる略円筒状の部位である。フランジ部２３３は、上側壁部２３２の下端部から径方向内方へと延びる略円環板状の部位である。下側壁部２３４は、フランジ部２３３の径方向内端部から下方へと延びる略円筒状の部位である。底部２３５は、下側壁部２３４の下端部から径方向内方へと延びる略円環板状の部位である。
【００１９】
天蓋凹部２３０の底部２３５の中央には、天蓋部２３を貫通する開口２３１が設けられる。開口２３１は、例えば、平面視において（すなわち、上側から鉛直下方を見た場合に）中心軸Ｊ１を中心とする略円形である。廃液回収容器１の使用時には、開口２３１を介して医療廃液が内部空間２０に注入される。容器本体２では、開口２３１以外の部位は、液体が通過不能である。
【００２０】
容器本体２の底部２１の下面には、滑り止め構造２４が設けられる。滑り止め構造２４は、例えば、容器本体２の底部２１の下面に接合された平板状の部材である。当該平板状の部材は、患者や機器台を覆うドレープとの間の摩擦係数が、容器本体２の底部２１の当該摩擦係数よりも大きい材料により形成される。当該平板状の部材は、例えば、底部２１の下面の略全面に亘って貼付されるテープ状の部材であってもよい。滑り止め構造２４は、例えば、底部２１の下面の略全面に亘って形成された微小な凹凸構造であってもよい。滑り止め構造２４として、既述の構造以外の様々な構造が採用されてもよい。
【００２１】
容器本体２の天蓋部２３の上面には、封止部２５が設けられる。封止部２５は、使用後の廃液回収容器１において天蓋部２３に貼付され、開口２３１および天蓋凹部２３０の上端開口を閉塞する。封止部２５は、例えば、天蓋部２３に対して着脱可能に貼付されるテープ状の部材である。封止部２５の天蓋部２３と対向する面（すなわち、貼付時の下面）には、粘着剤層が設けられている。廃液回収容器１が使用される前の状態では、封止部２５は、天蓋部２３に貼付されて開口２３１を閉塞していてもよく、天蓋部２３の天蓋凹部２３０から離れた位置、または、天蓋部２３以外の部位（例えば、側壁部２２）に貼付されていてもよい。
【００２２】
各吸収部材３０は、略長方形状のシート部材である。４つの吸収部材３０は、容器本体２の側壁部２２に沿って、周方向に略等角度間隔に配置される。吸収部材３０の上端部は、容器本体２の側壁部２２の内周面にホットメルト接着剤等により固定される。吸収部材３０の上部は、容器本体２の側壁部２２に沿って略上下方向に延びており、吸収部材３０の下部は、容器本体２の底部２１に沿って略水平に延びている。
【００２３】
各吸収部材３０は、吸収体３と、吸収体カバー３３とを備える。吸収体３は、容器本体２の内部空間２０に注入された医療廃液を吸収し、容器本体２から漏出しないように保持（すなわち、固定）する。吸収体３は、例えば、粒状または繊維状の高吸収性材料、および、粉砕したパルプ繊維またはセルロース繊維等の親水性繊維の集合体のうち、少なくとも一方を吸収材として含む。当該高吸収性材料としては、例えば、粒状の高吸収性ポリマー（ＳＡＰ（Super Absorbent Polymer））、または、繊維状の高吸収性ファイバー（ＳＡＦ（Super Absorbent Fiber））が利用される。吸収体カバー３３は、吸収体３の表面を被覆するシート状の部材である。吸収体カバー３３は、例えば、透液性の不織布により形成される。なお、吸収体カバー３３は、医療廃液を実質的に固定する部材ではないため、省略されてもよい。
【００２４】
図２に示す例では、吸収体３は、粒状または繊維状の高吸収性材料を担持した略長方形状の不織布シートである。吸収体３の上部は、容器本体２の側壁部２２に沿って略上下方向に延びており、吸収体３の下部は、容器本体２の底部２１に沿って略水平に延びている。容器本体２の底部２１の中央部では、４つの吸収部材３０の吸収体カバー３３が上下方向に重なっている。吸収体３は、平面視において、天蓋部２３の開口２３１の外周縁よりも径方向外側に配置される。換言すれば、開口２３１の鉛直下方には、吸収体３は配置されない。すなわち、開口２３１の鉛直下方の領域は、吸収体３が存在しない吸収体非存在領域であり、実質的に医療廃液を吸収して固定する機能を有しない非吸収領域である。
【００２５】
図４は、吸収体３の縦断面の一部を拡大した図である。図４に示すように、吸収体３は、積層された２層のシート部３１と、２層のシート部３１の間に配置された高吸収性材料３２とを備える。シート部３１は、透液性の不織布（例えば、スパンレース不織布）である。高吸収性材料３２は、粒状のＳＡＰである。図４では、高吸収性材料３２を実際よりも大きく描いている。高吸収性材料３２は、ホットメルト接着剤等により、２層のシート部３１の間に固定される。
【００２６】
図２に示すように、フィルタ部４は、容器本体２の開口２３１の略全体を覆うように配置され、天蓋部２３に取り付けられる。フィルタ部４は、中心軸Ｊ１を中心とする略円板状の部材である。フィルタ部４は、液体が透過可能な（すなわち、透液性の）部材であり、当該液体中の所定の大きさ以上の固形物またはゲル状物質を捕集する。フィルタ部４は、例えば、ナイロン等の樹脂製のメッシュ部材である。フィルタ部４の色は、例えば白色である。フィルタ部４の下側の領域は、フィルタ部４を透過して視認可能である。フィルタ部４のメッシュ（すなわち、１インチ当たりの網目の数であり、番手とも呼ぶ。）は、好ましくは１０以上かつ４００以下であり、より好ましくは１５０以上かつ３５０以下である。フィルタ部４のメッシュは、１０未満であってもよく、４００よりも大きくてもよい。図２に示す例では、フィルタ部４は、天蓋凹部２３０内に配置され、開口２３１の略全体を覆って天蓋凹部２３０の底部２３５に固定される。例えば、フィルタ部４は、底部２３５の上面にホットメルト接着剤等により固定される。フィルタ部４の底部２３５への固定方法は、様々に変更されてよい。
【００２７】
図５は、廃液回収容器１を示す平面図である。図５では、フィルタ部４および容器本体２の天蓋部２３の図示を省略し、容器本体２の内部空間２０の様子を図示している。また、図５では、天蓋部２３の開口２３１、および、吸収部材３０の吸収体３を破線にて示す。なお、吸収部材３０の吸収体カバー３３の図示は省略している。
【００２８】
平面視における容器本体２の内部空間２０は、第１領域２０１と、第２領域２０２とを備える。図４では、第１領域２０１および第２領域２０２に異なる平行斜線を付す。第１領域２０１は、平面視において、吸収体３の内端縁よりも径方向内側の領域である。すなわち、第１領域２０１には吸収体３は配置されていない。換言すれば、第１領域２０１は、吸収体３が存在しない吸収体非存在領域であり、実質的に医療廃液を吸収して固定する機能を有しない非吸収領域である。
【００２９】
第１領域２０１は、中心軸Ｊ１を中心とする略矩形の領域である。第１領域２０１は、天蓋部２３の開口２３１と上下方向に重なる。図５に示す例では、第１領域２０１は開口２３１よりも大きく、開口２３１の全体が、平面視において第１領域２０１に含まれる。換言すれば、第１領域２０１の外縁は、開口２３１の外周縁よりも全周に亘って径方向外側に位置する。
【００３０】
第２領域２０２は、第１領域２０１の周囲に位置し、吸収体３が配置される領域である。換言すれば、第２領域２０２は、平面視において吸収体３と重なる領域である。図５に示す例では、４つの吸収体３が第１領域２０１の周囲において放射状に配置されているため、平面視において略矩形の４つの第２領域２０２が、第１領域２０１の周囲を囲んで放射状に配置される。４つの第２領域２０２は、周方向に互いに離間しているが、周方向において隣接する２つの第２領域２０２が部分的に重なっていてもよい。各第２領域２０２は、平面視における吸収体３の内端縁において第１領域２０１に接する。
【００３１】
以下の説明では、廃液回収容器１の平面視における単位面積当たりの液体吸収量を、「平面吸収量」と呼ぶ。上述の第２領域２０２には、液体を吸収する吸収体３が存在するため、第２領域２０２の平面吸収量は、第１領域２０１の平面吸収量よりも大きい。第１領域２０１は、上述のように非吸収領域であり、第１領域２０１の平面吸収量は実質的に０（ｇ／ｍ２）である。なお、非吸収領域の平面吸収量は、必ずしも厳密に０（ｇ／ｍ２）である必要はなく、当該非吸収領域において医療廃液を吸収して固定することが実質的にできなければよい。
【００３２】
廃液回収容器１が使用される際には、まず、患者または機器台を覆うドレープ等の上に廃液回収容器１が載置される。このとき、廃液回収容器１の底部２１の下面に設けられた滑り止め構造２４がドレープに接触する。続いて、図６に示すように、医療廃液を内部に保持しているシリンジ９１の先端部が、廃液回収容器１の天蓋凹部２３０に挿入される。シリンジ９１の先端は、開口２３１の近傍において、フィルタ部４よりも上側に位置する。そして、シリンジ９１の先端からフィルタ部４および開口２３１に向けて、シリンジ９１内部の医療廃液が吐出される。医療廃液は、例えば、シリンジ９１を用いてカテーテル内から吸引した血液等である。
【００３３】
医療廃液は、開口２３１に配置されたフィルタ部４を通過して容器本体２の内部空間２０に流入する。シリンジ９１の先端部の周囲は、天蓋凹部２３０の下側壁部２３４により囲まれているため、内部空間２０に流入した医療廃液が容器本体２の底部２１等で跳ね返った場合であっても、跳ね返った医療廃液がシリンジ９１に付着することを抑制することができる。
【００３４】
廃液回収容器１では、医療廃液に含まれていた所定の大きさ以上の固形物またはゲル状物質は、フィルタ部４により捕集されてフィルタ部４上に残る。フィルタ部４上の固形物またはゲル状物質は、医療者（例えば、医者）により、ピンセット等を使用してフィルタ部４上から採取される。当該固形物またはゲル状物質は、例えば、血栓や生体組織片等の回収対象物である。
【００３５】
容器本体２の内部空間２０に流入した医療廃液は、容器本体２の底部２１の中央部に到達し、当該中央部から径方向外方へと広がる。容器本体２の底部２１上にて広がった医療廃液は、吸収体３へと到達し、吸収体３により吸収されて固定される。換言すれば、容器本体２の内部空間２０へと流入した医療廃液は、図５に示す第１領域２０１から第２領域２０２に向かって径方向外方へと広がり、第２領域２０２において吸収体３により吸収されて固定される。容器本体２への医療廃液の注入は、例えば複数回行われる。容器本体２への医療廃液の注入が終了すると、図６に示す封止部２５により天蓋部２３の開口２３１が閉塞される。
【００３６】
以上に説明したように、廃液回収容器１は、容器本体２と、吸収体３と、フィルタ部４とを備える。容器本体２は、底部２１と、側壁部２２と、天蓋部２３とを有する。吸収体３は、容器本体２の内部空間２０に収容されて、医療廃液を吸収する。フィルタ部４は、天蓋部２３に設けられた開口２３１を覆う。フィルタ部４は、液体が透過可能であり、所定の大きさ以上の固形物またはゲル状物質を捕集する。これにより、医療廃液中に含まれる血栓等の回収対象物を容易に回収することができる。
【００３７】
廃液回収容器１では、フィルタ部４は樹脂製である。これにより、フィルタ部４を廃液回収容器１の他の部位から分別して廃棄する必要がないため、廃液回収容器１の廃棄を容易とすることができる。
【００３８】
また、フィルタ部４は白色である。これにより、フィルタ部４により捕集された回収対象物を容易に視認することができる。その結果、回収対象物のフィルタ部４からの回収を容易とすることができる。
【００３９】
フィルタ部４のメッシュは、好ましくは１０以上かつ４００以下であり、より好ましくは１５０以上かつ３５０以下である。フィルタ部４のメッシュが４００以下（より好ましくは、３５０以下）であることにより、フィルタ部４に向けて吐出された医療廃液がフィルタ部４で跳ね返ることを抑制し、医療廃液のフィルタ部４の通過を容易とすることができる。また、フィルタ部４のメッシュが１０以上（より好ましくは、１５０以上）であることにより、回収対象物をフィルタ部４により好適に捕集することができる。さらに、フィルタ部４を通過した医療廃液が、容器本体２の底部２１等で跳ね返った場合であっても、跳ね返った医療廃液がフィルタ部４を通過して外部へと漏出することを抑制することができる。
【００４０】
図２に示す例では、フィルタ部４は容器本体２の天蓋部２３に固定されているが、図７に示すように、天蓋部２３に対して着脱可能に取り付けられるフィルタ部４ａが設けられてもよい。図７に例示する廃液回収容器１ａでは、フィルタ部４ａは、フィルタ取付部４１と、フィルタ本体４２と、摘まみ部４３とを備える。
【００４１】
フィルタ取付部４１は、容器本体２の天蓋部２３に着脱可能に取り付けられる。フィルタ取付部４１は、例えば、中心軸Ｊ１を中心とする略円環状の部材である。フィルタ取付部４１は、例えば、比較的硬質な樹脂により形成される。フィルタ取付部４１は、例えば、比較的粘着力が小さいホットメルト接着剤等により、天蓋凹部２３０の底部２３５の上面に着脱可能に取付られる。フィルタ部４ａの天蓋部２３への取付方法は、様々に変更されてよい。
【００４２】
フィルタ本体４２は、液体が透過可能な部材であり、フィルタ取付部４１に接続される。フィルタ本体４２は、例えば、中心軸Ｊ１を中心とする略円板状のメッシュ部材である。フィルタ本体４２は、フィルタ取付部４１の開口（すなわち、フィルタ取付部４１の径方向内側の領域）全体を覆ってフィルタ本体４２に固定される。フィルタ本体４２の形状、材料、色、メッシュ等は、図２に示すフィルタ部４とおよそ同じである。
【００４３】
摘まみ部４３は、フィルタ取付部４１から上方に突出する部材である。摘まみ部４３は、例えば、比較的軟質の樹脂により形成された帯状部材である。摘まみ部４３の下端部は、フィルタ取付部４１に固定されている。摘まみ部４３の上端部は自由端であり、医療者により把持可能である。図７に示す例では、摘まみ部４３は、天蓋凹部２３０の上端縁２３６よりも上方に突出している。
【００４４】
フィルタ部４ａにより血栓等の回収対象物が捕集されると、医療者により摘まみ部４３が摘ままれ、上方へと引っ張られる。これにより、フィルタ部４ａが、容器本体２の天蓋部２３から取り外されて持ち上げられる。フィルタ部４ａは、膿盆やトレイ等に載置される。そして、フィルタ部４ａ上の回収対象物が、医療者により採取される。
【００４５】
このように、フィルタ部４ａが、天蓋部２３に着脱可能に取り付けられるフィルタ取付部４１と、フィルタ取付部４１に接続され、液体が透過可能なフィルタ本体４２とを備えることにより、フィルタ部４ａにより捕集された回収対象物の回収を容易とすることができる。また、フィルタ部４ａが、フィルタ取付部４１から上方に突出する摘まみ部４３をさらに備えることにより、フィルタ部４ａの天蓋部２３からの取り外しを容易とすることができる。
【００４６】
なお、廃液回収容器１ａでは、フィルタ部４ａによる回収対象物の回収が行われない場合、使用前にフィルタ部４ａが天蓋部２３から取り外されてもよい。この場合、天蓋凹部２３０の底部２３５の内径が、シリンジ９１（図６参照）の先端の径よりも大きく、かつ、シリンジ９１の本体の径よりも小さくされることにより、シリンジ９１の本体が底部２３５よりも下方まで挿入されることを防止することができる。
【００４７】
次に、本発明の第２の実施の形態に係る廃液回収容器１ｂについて説明する。図８は、廃液回収容器１ｂの斜視図である。図９は、廃液回収容器１ｂの縦断面図である。廃液回収容器１ｂは、カバー部５を備える点を除き、図１に示す廃液回収容器１と略同様の構造を有する。以下の説明では、廃液回収容器１の各構成に対応する廃液回収容器１ｂの構成に同符号を付す。
【００４８】
図８および図９に示すように、カバー部５は、中心軸Ｊ１を中心とする略円板状の部材である。カバー部５は、容器本体２の天蓋部２３に固定される。カバー部５は、例えば、天蓋凹部２３０のフランジ部２３３の上面に、ホットメルト接着剤等により固定される。カバー部５は、天蓋凹部２３０および開口２３１を略全面に亘って覆う。カバー部５は、開口２３１およびフィルタ部４から上方に離間している。
【００４９】
カバー部５は、その中央部から放射状に延びる複数の切れ目により、複数のカバー要素５１に分割されている。換言すれば、カバー部５は、いわゆる菊割れ蓋である。複数のカバー要素５１は、少なくとも下向きに弾性変形可能である。カバー部５は、液体を透過しない材料により形成される。カバー部５は、例えば、比較的軟質の樹脂により形成される。カバー部５の色は、例えば、青色または緑色等である。あるいは、カバー部５は、透明または半透明であってもよい。好ましくは、カバー部５の色は、天蓋部２３の色と異なる。
【００５０】
廃液回収容器１ｂが使用される際には、シリンジ９１（図６参照）が、カバー部５を介して、天蓋凹部２３０へと挿入される。このとき、カバー部５の複数のカバー要素５１は、シリンジ９１によって下向きに押されて弾性変形する。複数のカバー要素５１は、シリンジ９１の外側面に接触する。
【００５１】
以上に説明したように、廃液回収容器１ｂは、開口２３１を覆うカバー部５をさらに備える。カバー部５は、不透液性の材料により形成される。カバー部５は、中央部から放射状に延びる複数の切れ目により、複数のカバー要素５１に分割される。複数のカバー要素５１は、下向きに弾性変形可能である。これにより、医療廃液がフィルタ部４等で跳ね返った場合であっても、跳ね返った医療廃液がシリンジ９１の周囲を通過してカバー部５から外部へと漏出することを抑制することができる。なお、カバー部５の形状、材料、色等は、様々に変更されてよい。
【００５２】
次に、本発明の第３の実施の形態に係る廃液回収容器１ｃについて説明する。図１０は、廃液回収容器１ｃの斜視図である。図１１は、廃液回収容器１ｃの縦断面図である。図１２は、廃液回収容器１ｃの平面図である。図１２では、後述する天蓋部２３ｃおよびフィルタ部４ｃの図示を省略し、容器本体２ｃの内部空間２０ｃの様子を図示している。また、図１２では、天蓋部２３ｃの開口２３１ｃを破線にて示す。
【００５３】
廃液回収容器１ｃは、容器本体２ｃと、吸収体３ｃと、フィルタ部４ｃとを備える。容器本体２ｃは、中心軸Ｊ１を中心とする有蓋かつ有底の略円筒状である。容器本体２ｃは、底部２１ｃと、側壁部２２ｃと、天蓋部２３ｃとを備える。側壁部２２ｃは、中心軸Ｊ１を中心とする略円筒状の部位である。底部２１ｃおよび天蓋部２３ｃは、中心軸Ｊ１を中心とする略円板状の部位である。側壁部２２ｃは、底部２１ｃの外周部から上方に延び、天蓋部２３ｃの外周部に接続される。図１０に示す例では、側壁部２２ｃは、底部２１ｃから上方に向かうに従って径方向外方へと広がる。底部２１ｃ、側壁部２２ｃおよび天蓋部２３ｃは、一体的に成形された一繋がりの部材である。底部２１ｃと側壁部２２ｃとの接続部、および、側壁部２２ｃと天蓋部２３ｃとの接続部は、液密である。容器本体２ｃでは、開口２３１ｃ以外の部位は、液体が通過不能である。底部２１ｃ、側壁部２２ｃおよび天蓋部２３ｃの外面の色は、例えば、黄色、橙色または赤色等の危険喚起色である。底部２１ｃ、側壁部２２ｃおよび天蓋部２３ｃの外面の色は、他の色（例えば、青色または緑色）であってもよい。
【００５４】
天蓋部２３ｃには、上述の天蓋凹部２３０（図２参照）は設けられない。天蓋部２３ｃの中央には、天蓋部２３ｃを貫通する開口２３１ｃが設けられる。開口２３１ｃは、例えば、平面視において（すなわち、上側から鉛直下方を見た場合に）中心軸Ｊ１を中心とする略円形である。廃液回収容器１ｃの使用時には、開口２３１ｃを介して医療廃液が内部空間２０ｃに注入される。容器本体２ｃの容量は、例えば、５００ｍｌ以上かつ２０００ｍｌ以下である。容器本体２ｃの容量は、５００ｍｌ未満であってもよく、２０００ｍｌよりも大きくてもよい。
【００５５】
吸収体３ｃは、容器本体２ｃの内部空間２０ｃに収容される。吸収体３ｃは、上述の吸収体３（図２参照）と同様に、容器本体２ｃの内部空間２０ｃに注入された医療廃液を吸収し、容器本体２ｃから漏出しないように保持（すなわち、固定）する。吸収体３ｃの構造および材料は、吸収体３と略同じである。すなわち、吸収体３ｃは、粒状または繊維状の高吸収性材料、および、粉砕した親水性繊維の集合体のうち、少なくとも一方を吸収材として含む。なお、吸収体３ｃは、上述の吸収体カバー３３（図２参照）により被覆されていてもよい。
【００５６】
図１０に示す例では、吸収体３ｃは、粒状または繊維状の高吸収性材料を担持した不織布シートである。吸収体３ｃは、略長方形状のシート部材であり、中心軸Ｊ１を中心とする略円筒状に丸められた状態で容器本体２ｃの内部空間２０ｃに収容されている。吸収体３ｃは、ホットメルト接着剤等により容器本体２ｃの内面に固定される。吸収体３ｃは、平面視において、天蓋部２３ｃの開口２３１ｃの外周縁よりも径方向外側に配置される。換言すれば、開口２３１ｃの鉛直下方には、吸収体３ｃは配置されない。なお、図１０に示す例では、吸収体３ｃの数は１であるが、２つ以上の吸収体３ｃが容器本体２ｃ内に設けられてもよい。
【００５７】
フィルタ部４ｃは、容器本体２ｃの開口２３１ｃの略略全体を覆うように配置され、天蓋部２３ｃに取り付けられる。フィルタ部４ｃの構造および材料は、上述のフィルタ部４（図２参照）と略同じである。フィルタ部４ｃは、例えば、天蓋部２３ｃの開口２３１ｃの周囲の部位にホットメルト接着剤等により固定される。図１０に示す例では、フィルタ部４ｃは、開口２３１ｃ内に配置され、略平板状の天蓋部２３ｃと上下方向の略同じ位置に位置する。
【００５８】
平面視における容器本体２ｃの内部空間２０ｃは、第１領域２０１ｃと、第２領域２０２ｃとを備える。図１２では、第１領域２０１ｃおよび第２領域２０２ｃに異なる平行斜線を付す。第１領域２０１ｃは、平面視において、吸収体３ｃの内周縁よりも径方向内側の領域である。すなわち、第１領域２０１ｃには吸収体３ｃは配置されておらず、第１領域２０１ｃの全体において、容器本体２ｃの底部２１ｃの上面が吸収体３ｃから露出している。換言すれば、第１領域２０１ｃは、液体を吸収する機能を有しない非吸収領域である。
【００５９】
第１領域２０１ｃは、中心軸Ｊ１を中心とする略円形の領域である。第１領域２０１ｃは、天蓋部２３ｃの開口２３１ｃと上下方向に重なる。図１２に示す例では、第１領域２０１ｃは開口２３１ｃよりも大きく、開口２３１ｃの全体が、平面視において第１領域２０１ｃに含まれる。換言すれば、第１領域２０１ｃの外周縁は、開口２３１ｃの外周縁よりも全周に亘って径方向外側に位置する。
【００６０】
第２領域２０２ｃは、第１領域２０１ｃの周囲に位置し、吸収体３ｃが配置される領域である。換言すれば、第２領域２０２ｃは、平面視において吸収体３ｃと重なる領域である。図１２に示す例では、第２領域２０２ｃは、平面視において中心軸Ｊ１を中心とする略円環状の領域である。第２領域２０２ｃの内周縁は、平面視における吸収体３ｃの内周縁である。第２領域２０２ｃは、平面視における吸収体３ｃの内周縁において第１領域２０１ｃに接する。第２領域２０２ｃには、液体を吸収する吸収体３ｃが存在するため、第２領域２０２ｃの平面吸収量は、第１領域２０１ｃの平面吸収量よりも大きい。第１領域２０１ｃは、上述のように非吸収領域であり、第１領域２０１ｃの平面吸収量は実質的に０（ｇ／ｍ２）である。
【００６１】
以上に説明したように、廃液回収容器１ｃは、容器本体２ｃと、吸収体３ｃと、フィルタ部４ｃとを備える。容器本体２ｃは、底部２１ｃと、側壁部２２ｃと、天蓋部２３ｃとを有する。吸収体３ｃは、容器本体２ｃの内部空間２０ｃに収容されて、医療廃液を吸収する。フィルタ部４ｃは、天蓋部２３ｃに設けられた開口２３１ｃを覆う。フィルタ部４ｃは、液体が透過可能であり、所定の大きさ以上の固形物またはゲル状物質を捕集する。これにより、医療廃液中に含まれる血栓等の回収対象物を容易に回収することができる。
【００６２】
上述の廃液回収容器１，１ａ〜１ｃでは、様々な変更が可能である。
【００６３】
例えば、吸収部材３０および吸収体３，３ｃの形状、構造、材料等は、様々に変更されてよい。吸収部材３０は、例えば、吸収体３の長手方向の中央部にて２つ折りにされた状態で、折り目を上側に向けて容器本体２の側壁部２２に固定されてもよい。また、吸収部材３０の当該２つ折りにされた部位同士は、粘着剤等により互いに接合されていてもよい。
【００６４】
例えば、吸収体３，３ｃは、表面にＳＡＰ等の高吸収性材料が塗布された不織布であってもよい。また、吸収体３，３ｃは、ＳＡＰ等の高吸収性材料が混抄された不織布であってもよい。あるいは、吸収体３，３ｃは、粉砕したパルプ繊維またはセルロース繊維等の親水性繊維の集合体を、ティッシュペーパーや不織布により包んだものであってもよい。また、当該集合体には、高吸収性材料が混合されていてもよい。
【００６５】
上述の平面吸収量は、内部空間２０，２０ｃの全体においておよそ同じであってもよい。例えば、高吸収性材料が略全面に亘って略均等に分布されて固定された不織布シートが吸収体として利用され、当該不織布シートが、容器本体２，２ｃの底部２１，２１ｃの略全面に亘って配置されてもよい。あるいは、開口２３１，２３１ｃの鉛直下方の領域における平面吸収量が、他の領域の平面吸収量よりも大きくてもよい。
【００６６】
フィルタ部４，４ａ，４ｃの形状、材料、色、メッシュ等は様々に変更されてよい。例えば、フィルタ部４ｃは、開口２３１ｃから下方に延びる袋状のメッシュ部材であってもよい。フィルタ部４ｃは、例えば、開口２３１ｃから下方に延びる有底円筒状または半球状であってもよい。いずれの場合も、フィルタ部４ｃの底部は、容器本体２ｃの底部２１ｃから上方に離間した位置に位置する。また、フィルタ部４，４ｃはメッシュ部材には限定されず、他の構造を有する部材（例えば、多数の微小な穴が形成されたシート部材（いわゆる、パンチングシート））であってもよい。フィルタ部４ａのフィルタ本体４２においても同様である。
【００６７】
容器本体２では、天蓋部２３の上面は、天蓋凹部２３０の上端縁２３６から径方向外方へと向かうに従って上方へと向かう傾斜面であってもよい。これにより、仮に、天蓋部２３の天蓋凹部２３０の周囲の部位に医療廃液が滴下した場合等であっても、当該医療廃液は、天蓋部２３の上面に沿って天蓋凹部２３０へと導かれ、開口２３１を介して容器本体２の内部空間２０へと落下する。これにより、医療廃液を好適に回収することができる。なお、天蓋部２３と側壁部２２との接続部は、必ずしも液密でなくてもよい。容器本体２ｃにおいても同様である。また、天蓋部２３の上面では、側壁部２２のフランジ部２２１と上下方向に重なる外周部が、当該外周部よりも内側の部位から上側に突出し、当該外周部と内側の部位との間に段差が設けられてもよい。これにより、天蓋部２３を側壁部２２に容易に取り付けることができる。
【００６８】
容器本体２では、開口２３１の位置は、必ずしも天蓋部２３の中央には限定されず、天蓋部２３の中央から離れていてもよい。また、開口２３１の形状は、様々に変更されてよい。例えば、開口２３１は矩形であってもよい。容器本体２ｃにおいても同様である。
【００６９】
容器本体２，２ｃの外形は、様々に変更されてよい。例えば、容器本体２，２ｃの外形は、略直方体状であってもよい。
【００７０】
滑り止め構造２４、封止部２５およびカバー部５はそれぞれ、必ずしも設けられる必要はなく、適宜省略されてよい。
【００７１】
上記実施の形態および各変形例における構成は、相互に矛盾しない限り適宜組み合わされてよい。
【符号の説明】
【００７２】
１，１ａ〜１ｃ    廃液回収容器
２，２ｃ    容器本体
３，３ｃ    吸収体
４，４ａ，４ｃ    フィルタ部
２０，２０ｃ    内部空間
２１，２１ｃ    底部
２２，２２ｃ    側壁部
２３，２３ｃ    天蓋部
４１    フィルタ取付部
４２    フィルタ本体
４３    摘まみ部
２３１，２３１ｃ    開口
【図１】
2019076171.tif 000003
【図２】
2019076171.tif 000004
【図３】
2019076171.tif 000005
【図４】
2019076171.tif 000006
【図５】
2019076171.tif 000007
【図６】
2019076171.tif 000008
【図７】
2019076171.tif 000009
【図８】
2019076171.tif 000010
【図９】
2019076171.tif 000011
【図１０】
2019076171.tif 000012
【図１１】
2019076171.tif 000013
【図１２】
2019076171.tif 000014